(57)【特許請求の範囲】
【請求項１】
２本の長さ調節可能な荷物結束用の結束ベルトに、各々背負い用の背負ベルトを取り付けると共に、背負った際の背負ベルトの上側の取り付け位置に連結材を取り付け、更に、背負った際の背負ベルトの下側の取り付け位置より外側に、荷物支部材を取り付けた、携帯背負運搬具。
【発明の詳細な説明】
【０００１】
【産業上の利用分野】
【０００２】
本発明は携帯背負運搬具に関し、詳細には、大きな荷物や重い荷物を結束して背負うことによりそれらの荷物の運搬を容易にする携帯背負運搬具に関する。
【０００３】
【従来の技術】
【０００４】
大きな荷物や重い荷物等を運搬する場合には、それらの荷物を手に持つよりも背負って運搬する方が楽なことは周知の事実である。
【０００５】
このため、荷物を背負って運搬するタイプのものとして、リュックサックやしょいこ等がある。
【０００６】
しかし、日常生活においては、お年寄りや主婦が買い物や旅行等に行く場合には、比較的荷物が少ないので、わざわざリュックサック等を使用することはほとんどなく、一般には買い物袋やスポーツバッグ等を使用している。
【０００７】
【発明が解決しようとする課題】
【０００８】
そのため、多くの買い物をしたり旅先でお土産等を多量に購入した場合には、荷物が増えて重くなるため、手で持つことが困難になる。
【０００９】
予めこのような事態を想定し、リュックサック等を用意して行くことも可能ではあるが、リュックサック等は畳んで持参してもそれ自体が重くかさばって邪魔になり、一方、買い物や旅行等に行く際に、最初からほとんど空のリュックサック等を背負って行くことは煩わしく体裁の悪いものである。
【００１０】
その上、リュックサック等は、収納する物の形や大きさに制限があるので、予定外の大きさの買い物等をした場合には、対応できない。
【００１１】
従って、本発明の目的は、携帯時に軽量でかさばらず、装着時には各種大きさや形状の荷物であっても極めて容易に取り付けることができ、使用中に荷崩れをおこすことのない、携帯背負運搬具を提供することにある。
【００１２】
【課題を解決するための手段】
【００１３】
本発明の課題を解決するための手段は、下記のとおりである。
【００１４】
第１に、荷物結束用の結束ベルトに、背負い用の背負ベルトを取り付けた、携帯背負運搬具。
【００１５】
第２に、２本の荷物結束用の結束ベルトに、各々背負い用の背負ベルトを取り付けると共に、荷物支部材を取り付けた、携帯背負運搬具
【００１６】
第３に、２本の荷物結束用の結束ベルトに、各々背負い用の背負ベルトを取り付けると共に、荷物支部材と連結材とを取り付けた、携帯背負運搬具。
【００１７】
第４に、２本の荷物結束用の結束ベルトに、各々背負い用の背負ベルトを取り付けると共に、荷物支部材を移動自在に取り付けた、携帯背負運搬具。
【００１８】
第５に、２本の長さ調節可能な荷物結束用の結束ベルトに、各々背負い用の背負ベルトを取り付けると共に、背負った際の背負ベルトの上側の取り付け位置に連結材を取り付け、更に、背負った際の背負ベルトの下側の取り付け位置より外側に、荷物支部材を取り付けた、携帯背負運搬具。
【００１９】
ここで、結束ベルトや背負ベルトは、重い荷物を支えることができる程度の強靱な材質のものであればよく、また形状は特に帯状に限定されない。
【００２０】
なお、結束ベルトや背負ベルトの本数は、通常は、各２本とするが、これに制限されるものではない。
【００２１】
従って、結束ベルトの本数は、１本又は３本以上であってもよく、例えば、１本の結束ベルトによる場合は、結束ベルトの幅を、荷物がずり落ちない程度以上の幅とすることが好ましく、特に、荷物の底と接触する部分の面積を他より広くなるような幅とし、全体として台形状のものとすることがより好ましい。
【００２２】
また、結束ベルトや背負ベルトの色には特に限定はなく、例えば、荷物の色に合わせて各種の色彩を適宜採用することができる。
【００２３】
【作用】
【００２４】
本発明の携帯背負運搬具によれば、荷物は結束ベルトで結束されたまま、背負ベルトによって背負われた状態で運搬される。
【００２５】
【実施例】
【００２６】
以下、図面を参照しつつ、本発明の一実施例について説明する。
【００２７】
図１は本発明の携帯背負運搬具の一実施例の平面図、図２は図１の携帯背負運搬具の使用状態を示す斜視図、図３は携帯背負運搬具の他の実施例の使用状態を示す斜視図、図４は携帯背負運搬具の更に他の実施例の使用状態の正面図、図５は携帯背負運搬具の更に他の実施例の使用状態の正面図である。
【００２８】
図１及び図２に示す携帯背負運搬具は、平行する２本の長さ調節可能な荷物結束用の結束ベルト１に、各々背負い用の背負ベルト２を取り付けると共に、背負った際の背負ベルト２の上側の取付部２ａに、肩幅より狭い長さの連結材３を取り付け、更に、背負った際の背負ベルト２の下側の取付部２ｂより外側（図１では下側）に、荷物支部材４を取り付けたものである。
【００２９】
本実施例では平行する２本の結束ベルト１同士の間隔は、結束ベルト１の中心線の位置において、１３ｃｍ程度離れるように設定されている。
【００３０】
結束ベルト１は、幅３０ｍｍ、長さ１２０ｃｍ程度のベルト本体１１の上側端に、雌型バックル１２を取り付け、他端側に、雌型バックル１２と着脱自在に組み合う雄型バックル１３を取り付けたものである。
【００３１】
雄型バックル１３は、荷物の形状に対応して結束ベルト１の長さ調節を可能にする部分でもあり、結束ベルトの余剰部分１ａが長くなるように調節すると、結束ベルト１の結束部分の長さが短くなる。
【００３２】
背負ベルト２は、幅３０ｍｍ、長さ４８ｃｍ程度の肩当て部分となる第１ベルト２１と、幅３０ｍｍ、長さ２８ｃｍ程度の長さ調節部分となる第２ベルト２２とを、接続バックル２３で接続したものであり、図示は省略するが、第１ベルト２１の裏面にクッション材等を取り付け、肩への当たりを和げることもできる。
【００３３】
ここで、第１ベルト２１の上端側は、背負ベルト２の結束ベルト１への上側の取付部２ａとなり、その反対側には、接続バックル２３が取り付けられている。
【００３４】
一方、第２ベルト２２の下端側は、背負ベルト２の結束ベルト１への下側の取付部２ｂとなり、その反対側は、接続バックル２３に長さ調節可能に取り付けられている。
【００３５】
背負ベルト２の長さは、接続バックル２３の箇所で、第２ベルト２２の余剰部分２２ａの長さを調節することで、荷物を背負う人の体型等に合わせて調節することができる。
【００３６】
なお、図示は省略するが、第１ベルト２１と第２ベルト２２との幅は異なるものとすることもでき、例えば、第１ベルト２１の幅を第２ベルト２２の幅（３０ｍｍ程度）より広く５０ｍｍ程度にした場合には、肩への加重の分散を図ることができる。
【００３７】
連結材３は、一方の結束ベルト１と他方の結束ベルト１とを連結し、２本の結束ベルト１の上端側の間隔が開いて荷物を背負った状態が不安定になることを防ぐためのものであり、その両端は、結束ベルト１と背負ベルト２との間に挟み込んだ状態で縫い付けられている。
【００３８】
本実施例による連結材３は、幅３０ｍｍ、長さ１５ｃｍ程度の細長片で形成されているが、これに限定されるものでない。
【００３９】
例えば、図３に示す他の実施例のように、連結材３を台形状の山型片で形成することもできる。
【００４０】
この図３の連結材３によると、荷物の重さが左右に偏っている場合でも、両肩に均等に荷重を分配できる。
【００４１】
荷物支部材４は、背負った際に、荷物の底部を支えると共に、２本の結束ベルト１の下端側の間隔が開いて荷物の状態が不安定になることを防ぐものであり、本実施例の荷物支部材４は、縦１６ｃｍ、横２８ｃｍ程度の長方形状の布の両側端を４ｃｍ程度折り返して筒状に縫い、該筒状部分に結束ベルト１を通したものである。
【００４２】
従って、荷物支部材４は、結束ベルト１に沿ってスライド自在に取り付けられており、荷物の形状に合わせて容易に移動させることができるものである。
【００４３】
次に、上記の携帯背負運搬具の使い方について説明する。
【００４４】
まず、旅行等に行く際、本発明の携帯背負運搬具を携帯する場合は、これを小さくまとめて、荷物の片隅等に入れて持ち歩くことができる。
【００４５】
このように本発明の荷物運搬具は、携帯するときには、小さくまとめることができるのでかさばらず、また、軽量なので、旅行等に行く際にバック等に入れておいても邪魔にならない。
【００４６】
例えば、旅先でお土産を大量に購入し、荷物が増えた場合には、本発明の携帯背負運搬具を取り出し、まず、荷物支部材４で荷物の底を支えつつ、雌型バックル１２に雄型バックル１３を差し入れるようにして雌型バックル１２と雄型バックル１３とを組み合わせ、２本の結束ベルト１で、荷物を結束する。
【００４７】
この際、荷物の大きさや形状に応じて結束ベルトの余剰部分１ａの長さを引っ張って調節することで、結束ベルト１によって１個または複数個の荷物をしっかりと結束することができる。
【００４８】
次に、結束ベルト１と背負ベルト２との間に、手を通すことで、結束ベルト１によって結束されたままの荷物を背負い、この状態で荷物の運搬を行う。
【００４９】
この際、背負う人の体格等に合わせて、背負ベルト２の第２ベルト２２の余剰部分２２ａを引っ張って調節することで、誰でも安定した状態で荷物を背負うことができる。
【００５０】
上記の実施例以外にも、図４に示す他の実施例のように、背負った状態における背負ベルト２の広がり防止と荷物の安定のために、背負ベルト２の第１ベルト２１の部分に第１間隔保持ベルト２５を取り付けると共に、背負ベルト２の第２ベルト２２の部分に第２間隔保持ベルト２６を取り付けることもできる。
【００５１】
ここで、第２間隔保持ベルト２６によると、腰部におけるベルト間の幅の広がりを防止するのみではなく、一定の荷重を腰部で支えることになるので、肩への負担が若干軽減され、より楽に荷物を運搬することができるようになる。
【００５２】
上記の実施例以外にも、図５に示す更に他の実施例のように、２本の背負ベルト２を、前面の交差具５の部分で交差するように取り付けることもできる。
【００５３】
このように２本の背負ベルト２が前面で交差したものは、重い荷物をより楽に背負うことができるとともに、２本のベルトの横方向への広がりを完全に防止することができ、長時間の輸送に適したものである。
【００５４】
この場合にも、背負った状態における背負ベルト２の広がり防止と荷物の安定のために、背負ベルト２の第２ベルト２２の部分に第２間隔保持ベルト２６を取り付けることもできる。
【００５５】
このように、本発明の携帯背負運搬具によれば、行きに荷物の少ないときはリュック等を背負う煩雑さを回避して、通常の手提げバックのみで簡便に出かけることを可能にし、帰りに荷物が増えたときにのみ、大きなまたは重い荷物を肩に背負うことで、楽に運搬することができる。
【００５６】
また、本発明の携帯背負運搬具を用いると、荷物の大きさ、形状、数量等にかかわらず、通常の手提げ用の荷物やバック等であっても、それらを背負うことで楽に運搬することが可能になる。
【００５７】
【発明の効果】
【００５８】
本発明の携帯背負運搬具は、携帯時に軽量でかさばらず、装着時には各種大きさや形状の荷物であっても極めて容易に取り付けることができ、使用中に荷崩れをおこすことがない。
【図面の簡単な説明】
【図１】本発明の携帯背負運搬具の一実施例の平面図
【図２】図１の携帯背負運搬具の使用状態を示す斜視図
【図３】携帯背負運搬具の他の実施例の使用状態を示す斜視図
【図４】携帯背負運搬具の更に他の実施例の使用状態の正面図
【図５】携帯背負運搬具の更に他の実施例の使用状態の正面図
【符号の説明】
１  結束ベルト
１ａ  結束ベルトの余剰部分
１１  ベルト本体
１２  雌型バックル
１３  雄型バックル
２  背負ベルト
２ａ  上側の取付部
２ｂ  下側の取付部
２１  第１ベルト
２２  第２ベルト
２２ａ  第２ベルトの余剰部分
２３  接続バックル
２５  第１間隔保持ベルト
２６  第２間隔保持ベルト
３  連結材
４  荷物支部材
５  交差具
【図１】
0003638982.tif 000002
【図２】
0003638982.tif 000003
【図３】
0003638982.tif 000004
【図４】
0003638982.tif 000005
【図５】
0003638982.tif 000006